(57)【要約】端末装置と無線接続する無線基地局装置であって、前記端末装置以外の他の端末装置から送信される信号の強度を検出する検出部と、所定時間毎に調整される第１パラメータと、所定の第１最小値及び所定の第１最大値の間の値をとる第２パラメータとの和を前記端末装置に対する送信電力として算出する電力算出部と、を備え、前記検出部が前記他の端末装置から送信される信号の受信電力が所定値以上であることを検出した場合、前記電力算出部は、第１目標電力と前記第１パラメータとの差と前記第１最小値とのうち小さい方の値を前記第２パラメータとして設定し、さらに、前記第１パラメータが調整されるときに、前記第１目標電力と前記第１最小値との差を前記第１パラメータとして設定し、前記第１最小値を前記第２パラメータとして設定する、無線基地局装置とする。
2014041667.tif 000002
【特許請求の範囲】
【請求項１】
端末装置と無線接続する無線基地局装置であって、
前記端末装置以外の他の端末装置から送信される信号の強度を検出する検出部と、
所定時間毎に調整される第１パラメータと、所定の第１最小値及び所定の第１最大値の間の値をとる第２パラメータとの和を前記端末装置に対する送信電力として算出する電力算出部と、を備え、
前記検出部が前記他の端末装置から送信される信号の受信電力が所定値以上であることを検出した場合、前記電力算出部は、第１目標電力と前記第１パラメータとの差と前記第１最小値とのうち小さい方の値を前記第２パラメータとして設定し、さらに、前記第１パラメータが調整されるときに、前記第１目標電力と前記第１最小値との差を前記第１パラメータとして設定し、前記第１最小値を前記第２パラメータとして設定する、
無線基地局装置。
【請求項２】
前記検出部が前記他の端末装置から送信される信号の受信電力が所定値以上であることを検出した場合、前記電力算出部は、前記検出部が前記他の端末装置から送信される信号の受信電力の時間変化に基づいて第１オフセット値を設定し、前記第１パラメータが調整されるときに、前記第１目標電力と前記第１最小値との差に前記第１オフセット値を加算した値を前記第１パラメータとして設定し、前記第１最小値と前記第１オフセット値との差を前記第２パラメータとして設定する、
請求項１に記載の無線基地局装置。
【請求項３】
前記検出部が前記他の端末装置から送信される信号の受信電力が所定値未満であることを検出した場合、前記電力算出部は、第２目標電力と前記第１パラメータとの差と前記第１最大値とのうち大きい方の値を前記第２パラメータとして設定し、さらに、前記第１パラメータが調整されるときに、前記第２目標電力と前記第１最大値との差を前記第１パラメータとして設定し、前記第１最大値を前記第２パラメータとして設定する、
請求項１又は２に記載の無線基地局装置。
【請求項４】
前記検出部が前記他の端末装置から送信される信号の受信電力が所定値未満であることを検出した場合、前記電力算出部は、前記検出部が前記他の端末装置から送信される信号の受信電力の時間変化に基づいて第２オフセット値を設定し、前記第１パラメータが調整されるときに、前記第２目標電力と前記第１最大値との差に前記第２オフセット値を減算した値を前記第１パラメータとして設定し、前記第１最小値と前記第２オフセット値との和を前記第２パラメータとして設定する、
請求項３に記載の無線基地局装置。
【請求項５】
端末装置と無線接続する無線基地局装置の通信方法であって、
前記端末装置以外の他の端末装置から送信される信号の強度を検出し、
前記他の端末装置から送信される信号の受信電力が所定値以上であることを検出した場合、第１目標電力と所定時間毎に調整される第１パラメータとの差と所定の第１最小値とのうち小さい方の値を、前記第１最小値及び所定の第１最大値の間の値をとる第２パラメータとして設定し、さらに、前記第１パラメータが調整されるときに、前記第１目標電力と前記第１最小値との差を前記第１パラメータとして設定し、前記第１最小値を前記第２パラメータとして設定し、
前記第１パラメータと、前記第２パラメータとの和を前記端末装置に対する送信電力として算出する、
通信方法。
【発明の詳細な説明】
【技術分野】
【０００１】
本発明は、無線基地局装置、および、通信方法に関する。
【背景技術】
【０００２】
携帯電話サービス等の無線通信ネットワークにおいて、どこでも通信できるように、多くの無線基地局が設置される。無線基地局には、ビルの屋上や鉄塔などに設置される、半径数ｋｍ程度の通信エリア（マクロセル）をカバーする屋外基地局や、小規模店舗や一般家屋などに設置される、半径数十メートル程度の通信エリア（フェムトセル）をカバーする超小型基地局がある。屋外基地局は、マクロ基地局、マクロセル基地局とも呼ばれる。超小型基地局は、フェムト基地局、フェムトセル基地局、フェムト、フェムトセルとも呼ばれる。【０００３】
近年、移動通信網などの無線通信システムにおいて、フェムト基地局を一般家庭やオフィスなど屋内に配置することにより、屋内における携帯電話サービスの品質改善やサービスエリア拡大に関する検討が広く行われている。【０００４】
フェムト基地局を含む既存の移動通信網における無線基地局は、移動局に対して共通パイロット信号を送信する。移動局は、この共通パイロット信号を受信することで無線基地局との間で同期確立とチャネル推定とを行う。移動局は、接続している無線基地局との間で、データ送信およびデータ受信を実現する。【０００５】
図１は、下り送信チャネルの共通パイロットチャネル電力及びデータチャネル電力の例を示す図である。ここで、３ＧＰＰ（Third Generation Partnership Project）規格のＬＴＥ（Long Term Evolution）システムなどでは、下り送信チャネルのデータチャネル電力は、図１に示すように上記の共通パイロットチャネル電力および共通パイロットチャネル電力に対する電力オフセットによって定義される。すなわち、ＬＴＥシステムでは、共通パイロット信号に該当するReference Signalの送信電力（RS Power）と、当該送信電力に対する電力オフセット（p-a）との合計値として、下り送信チャネルのデータチャネル（ＰＤＳＣＨ（Physical Downlink Shared Channel））電力が決定される。このため、ＰＤＳＣＨの送信電力の変更は、実際には、RS Powerの設定値及びp-aの設定値が調整されることにより、実現される。【０００６】
下り送信チャネルは、無線基地局から移動局に向かう方向の送信チャネルである。
【先行技術文献】
【特許文献】
【０００７】
【特許文献１】特開２０１１−１６６２２３号公報
【特許文献２】特開２０１０−３４７５６号公報
【特許文献３】国際公開第２００９／１２２７７８号
【特許文献４】特開２０１１−１４６８０４号公報
【非特許文献】
【０００８】
【非特許文献１】3GPP TS36.213 v9.3.0
【非特許文献２】3GPP TS36.331 v9.9.0
【発明の概要】
【発明が解決しようとする課題】
【０００９】
ＬＴＥシステムにおけるRS Powerの調整範囲は、例えば、−６０ｄＢｍから＋５０ｄＢｍまでである。RS Powerの変更時、RS Powerの設定値は、無線基地局からのシステム情報（ＳＩＢ： System Information Block）として、移動局に向けて、通知される。RS Powerの設定値の更新時間は、数百ｍｓから数分程度である。RS Powerの設定値は無線基地局からのシステム情報に含まれるため、RS Powerの設定値を任意の時刻に変更することは困難である。【００１０】
これに対し、電力オフセット（p-a）の調整範囲は、例えば、−６ｄＢから＋３ｄＢまでである。電力オフセットの変更指示は、基地局から移動局に送達される。電力オフセットの変更指示の送達確認完了に要する時間（電力オフセット（p-a）の更新時間）は、数ｍｓから数秒程度である。電力オフセットの調整範囲はRS Powerの調整範囲よりも小さいが、電力オフセットの変更に要する時間はRS Powerの変更に要する時間よりも短い。p-aの設定値はp-a変更指示の送達確認完了によって変更されるため、p-aの設定値を任意の時刻に変更することは容易である。【００１１】
したがって、ＰＤＳＣＨ送信電力について、図１のようなデータチャネル電力の高送信電力設定と低送信電力設定とを切り替える場合において、PS Powerの調整では、送信電力の変更に追従した送信電力の変更が困難である。一方、電力オフセットの調整では、RS Powerの調整よりも素早い変更は可能であるが、調整範囲が狭い。このため、送信電力の変更時にPS Powerの調整待ちとなった場合、ＰＤＳＣＨ送信電力が低いために通信品質が低下する期間やＰＤＳＣＨ送信電力が高いために他セルに対して干渉を与える期間が発生することがある。【００１２】
ここで、ＰＤＳＣＨ送信電力の高送信電力設定と低送信電力設定とを切り替える例として、マクロセルエリアに隣接または重複するようなフェムトセルの下り送信電力設定について説明する。【００１３】
マクロ基地局（ＭｅＮＢ： Macro eNodeB）により形成されるマクロセルエリア内にフェムト基地局（ＨｅＮＢ： Home eNodeB）がフェムトセルエリアを形成する。ここでは、ＨｅＮＢは、契約ユーザの移動局を接続させ、かつ、契約ユーザ以外のユーザの移動局を接続させないClosed Accessのフェムトセルエリアを形成するとする。【００１４】
図２は、マクロセルエリアおよびマクロセルエリア内のClosed Accessのフェムトセルエリアの例を示す図である。図２の例では、ＨｅＮＢ近傍に、ＨｅＮＢに接続するＵＥ（User Equipment）とＨｅＮＢに接続しないＭｅＮＢ接続ＵＥとが存在するとする。ＨｅＮＢに接続するＵＥは、契約ユーザの移動局（ＨＵＥ： Home User Equipment）である。ＨｅＮＢに接続しないＭｅＮＢ接続ＵＥは、契約ユーザ以外のユーザの移動局（ＭＵＥ： Macro User Equipment）である。【００１５】
ＨｅＮＢとＨＵＥとの間の下り通信に伴い、ＭＵＥに対して下り干渉が加わるため、ＭＵＥにおける受信ＳＩＮＲ（信号対干渉雑音電力比： Signal to Interference plus Noise Ratio）が劣化する。このようなＭＵＥは、ＶｉｃｔｉｍＵＥと呼ばれる。このような場合、干渉制御による通信品質の改善が求められる。このようなＶｉｃｔｉｍＵＥのＳＩＮＲ改善方法として、ＶｉｃｔｉｍＵＥの有無の検出結果に応じて、ＨｅＮＢの送信電力を下げてＶｉｃｔｉｍＵＥに与える干渉量を低減し、ＭＵＥにおける受信ＳＩＮＲを向上させる方法がある。【００１６】
ＰＤＳＣＨ送信電力制御においては、共通パイロット電力（RS Power）調整では、ＶｉｃｔｉｍＵＥ検出に追従した送信電力の変更ができず、一方の電力オフセット（p-a）調整では、RS Powerより素早い変更は可能だが、調整幅が小さいという問題がある。よって、ＶｉｃｔｉｍＵＥの有無が検出されたときに、ＶｉｃｔｉｍＵＥ考慮のRS Powerへの変更待ちが発生し、ＶｉｃｔｉｍＵＥに対して干渉を与え続けることや、ＶｉｃｔｉｍＵＥ消失時に送信電力が理想より低いまま維持されることがある。【００１７】
本件開示の構成は、迅速に送信電力を変更できる無線基地局装置を提供することを課題とする。
【課題を解決するための手段】
【００１８】
開示の構成は、上記課題を解決するために、以下の手段を採用する。【００１９】
即ち、第１の態様は、
端末装置と無線接続する無線基地局装置であって、
前記端末装置以外の他の端末装置から送信される信号の強度を検出する検出部と、
所定時間毎に調整される第１パラメータと、所定の第１最小値及び所定の第１最大値の間の値をとる第２パラメータとの和を前記端末装置に対する送信電力として算出する電力算出部と、を備え、
前記検出部が前記他の端末装置から送信される信号の受信電力が所定値以上であることを検出した場合、前記電力算出部は、第１目標電力と前記第１パラメータとの差と前記第１最小値とのうち小さい方の値を前記第２パラメータとして設定し、さらに、前記第１パラメータが調整されるときに、前記第１目標電力と前記第１最小値との差を前記第１パラメータとして設定し、前記第１最小値を前記第２パラメータとして設定する、
無線基地局装置とする。【００２０】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。
【発明の効果】
【００２１】
開示の実施形態によれば、迅速に送信電力を変更できる無線基地局装置を提供することができる。
【図面の簡単な説明】
【００２２】
【図１】図１は、下りチャネルの共通パイロットチャネル電力及びデータチャネル電力の例を示す図である。
【図２】図２は、マクロセルエリアおよびマクロセルエリア内のClosed Accessのフェムトセルエリアの例を示す図である。
【図３】図３は、実施形態におけるフェムト基地局装置及び端末装置の構成例を示す図である。
【図４】図４は、フェムト基地局装置のハードウェア構成例を示す図である。
【図５】図５は、フェムト基地局装置と端末装置との間の動作シーケンスの例（１）を示す図である。
【図６】図６は、フェムト基地局装置と端末装置との間の動作シーケンスの例（２）を示す図である。
【図７】図７は、データチャネル電力の時間変化の具体例を示す図である。
【図８】図８は、Δoffset1の決め方の例を示す表である。
【図９】図９は、Δoffset2の決め方の例を示す表である。
【発明を実施するための形態】
【００２３】
以下、図面を参照して実施形態について説明する。実施形態の構成は例示であり、開示の実施形態の構成に限定されない。ここでは、無線基地局装置の一例として、フェムト基地局装置を挙げて説明するが、無線基地局装置はフェムト基地局装置に限定されない。実施形態におけるフェムト基地局装置の構成は、フェムト基地局装置以外の無線基地局装置に適用されうる。
【００２４】
ここでは、ＬＴＥシステムに適用して説明しているが、実施形態は、ＬＴＥシステムに限定されるものではなく、他の通信システムにも適用可能である。
【００２５】
〔実施形態〕
（構成例）
図３は、本実施形態におけるフェムト基地局装置及び端末装置の構成例を示す図である。
【００２６】
フェムト基地局装置１００は、アンテナ１０２、無線送受信部１１０、呼処理制御部１２０、ベースバンド信号処理部１３０を有する。無線送受信部１１０は、送信電力パラメータ更新判定部１２２を含む。ベースバンド信号処理部１３０は、スケジューラ部１３５を含む。スケジューラ部１３５は、ＶｉｃｔｉｍＵＥ検出部１４２、送信電力パラメータ算出部１４４を含む。フェムト基地局装置１００は、上位装置に接続される。
【００２７】
アンテナ１０２は、端末装置２００に無線信号を送信し、また、端末装置２００から無線信号を受信する。アンテナ１０２は、干渉信号を受信しうる。
【００２８】
無線送受信部１１０は、アンテナ１０２で受信した無線信号をベースバンド信号に変換する。無線送受信部１１０は、呼処理制御部１２０、ベースバンド信号処理部１３０で処理された信号を、無線信号に変換し、アンテナ１０２から、送信する。
【００２９】
呼処理制御部１２０は、共通パイロット電力（RS Power）、及び、共通パイロット電力に対する電力オフセット（p-a）の変更判定、端末装置２００との通信を行う際のメッセージ（RRC(Radio Resource Control) Message）の終端処理などを行う。呼処理制御部１２０は、無線送受信部１１０が出力する接続要求に基づいて、各端末装置の初期アクセスやハンドオーバなどの呼制御を行う。共通パイロット電力（RS Power）は、第１パラメータの一例である。電力オフセット（p-a）は、第２パラメータの一例である。
【００３０】
送信電力パラメータ更新判定部１２２は、RS Power及びp-aの更新、または、p-aの更新のいずれを実行するかを判定する。
【００３１】
ベースバンド信号処理部１３０は、スケジューラ部１３５などの端末装置２００と通信するためのベースバンド信号の生成に関する機能を有する。
【００３２】
スケジューラ部１３５は、端末装置に対するスケジューリング処理を行う。スケジューラ部１３５は、ＬＴＥシステムのように複数ユーザ間でチャネルリソースを共有する場合には時間方向および周波数方向のリソース割り当てを行う。スケジューラ部１３５は、ＶｉｃｔｉｍＵＥ検出部１４２および送信電力パラメータ算出部１４４を含む。
【００３３】
ＶｉｃｔｉｍＵＥ検出部１４２は、ＶｉｃｔｉｍＵＥを検出する。ＶｉｃｔｉｍＵＥの検出方法として、どのような方法が採用されてもよい。例えば、ＶｉｃｔｉｍＵＥ検出部１４２は、受信電力が所定値以上である干渉信号の送信元のＵＥ（ＭＵＥ）をＶｉｃｔｉｍＵＥとして検出する。ＶｉｃｔｉｍＵＥ検出部１４２は、ＶｉｃｔｉｍＵＥの数を検出してもよい。また、例えば、ＶｉｃｔｉｍＵＥ検出部１４２は、特許文献１に記載される方法によりＶｉｃｔｉｍＵＥを検出する。ＶｉｃｔｉｍＵＥ検出部１４２は、フェムト基地局装置１００のフェムトセル内にＶｉｃｔｉｍＵＥが存在するか否かを検出し得る。また、例えば、ＶｉｃｔｉｍＵＥ検出部１４２は、干渉信号の受信電力が所定値未満である場合、ＶｉｃｔｉｍＵＥが消失したと判断する。干渉信号は、フェムト基地局装置１００が無線接続する端末装置以外の端末装置等から送信される信号である。干渉電力は、干渉信号の受信電力である。ＶｉｃｔｉｍＵＥ検出部１４２は、検出部の一例である。
【００３４】
送信電力パラメータ算出部１４４は、ＶｉｃｔｉｍＵＥ検出部１４２によるＶｉｃｔｉｍＵＥの検出結果に応じて、送信電力パラメータ（RS Power及びp-a）の算出をする。送信電力パラメータ算出部１４４は、電力算出部の一例である。
【００３５】
端末装置２００は、アンテナ２０２、無線送受信部２１０、呼処理制御部２２０、ベースバンド信号処理部２３０、アプリケーション処理部２４０を有する。
【００３６】
端末装置２００は、アンテナ２０２を介して基地局装置からの無線信号を無線送受信部２１０で受信し、基地局装置側で設定した送信パラメータ（変調方式や通信方式など）に対応する変調方式、通信方式により受信信号を復調する。基地局装置には、マクロ基地局装置、フェムト基地局装置が含まれ得る。
【００３７】
アンテナ２０２は、基地局装置等に無線信号を送信し、また、基地局装置等から無線信号を受信する。
【００３８】
無線送受信部２１０は、アンテナ２０２を介して基地局装置からの無線信号を受信する。無線送受信部２１０は、受信した信号を、基地局装置側で設定した送信パラメータ（変調方式や通信方式など）に対応する変調方式、通信方式により、復調する。無線送受信部２１０は、ベースバンド信号処理部２３０で処理されたベースバンド信号を無線信号に変換する。
【００３９】
呼処理制御部２２０は、基地局装置と通信を行う際のメッセージ（RRC Message）の終端処理などを行う。呼処理制御部２２０は、無線送受信部２１０が出力する接続要求に基づいて、フェムト基地局装置１００とのアクセスやハンドオーバなどの呼制御を行う。
【００４０】
ベースバンド信号処理部２３０は、基地局装置から通知された送信パラメータに従って、受信したベースバンド信号の復調処理を行う。
【００４１】
アプリケーション処理部２４０は、復調後の信号が入力され、端末装置２００が実行できる各種処理を実行する。
【００４２】
図４は、フェムト基地局装置のハードウェア構成例を示す図である。図４の例では、フェムト基地局装置１００は、アンテナ１５２、ＲＦ（Radio Frequency）部１５４、ベースバンド信号処理部１５６、外部信号I／Ｆ（interface）部１５８、ＣＰＵ（Central Processing Unit）１６２、メモリ１６４を有する。
【００４３】
アンテナ１５２は、他の無線装置に無線信号を送信し、また、他の無線装置から無線信号を受信する。
【００４４】
ＲＦ部１５４は、無線信号を電気信号に変換する。アンテナ１５２に給電する無線信号の駆動回路、アンテナ１５２からの信号を処理する無線信号の受信回路等を含む。ＲＦ部１５４は、端末装置等との間の無線通信に係る無線信号の処理を実現する。
【００４５】
ベースバンド信号処理部１５６は、電気信号に所定の信号処理を行う。所定の信号処理は、例えば、送受信信号の終端、通信プロトコルの変換などである。
【００４６】
外部信号I／Ｆ部１５８は、外部ネットワーク装置との間の信号を送受信する。外部信号I／Ｆ部１５８は、例えば、ＬＡＮ（Local Area Network）インタフェースボードや無線通信のための無線通信回路である。
【００４７】
ＣＰＵ１６２は、フェムト基地局装置１００全体の動作を、管理・制御するプロセッサである。メモリ１６４は、ＣＰＵ１６２で実行される動作プログラムやプログラムで使用されるデータ等を蓄積する。ＣＰＵ１６２の代わりにＤＳＰ（Digital Signal Processor）等の他のプロセッサが使用されてもよい。メモリ１６４は、例えば、ＲＡＭ（Random Access Memory）やＲＯＭ（Read Only Memory）である。メモリ１６４には、例えば、データチャネル電力の目標電力などが格納される。
【００４８】
（動作例）
図５及び図６は、フェムト基地局装置と端末装置との間の動作シーケンスの例を示す図である。図５の「Ａ」、「Ｂ」及び「Ｃ」は、それぞれ、図６の「Ａ」、「Ｂ」及び「Ｃ」に接続する。フェムト基地局装置１００と端末装置２００とは、無線接続されているとする。
【００４９】
フェムト基地局装置１００のスケジューラ部１３５のＶｉｃｔｉｍＵＥ検出部１４２は、ＶｉｃｔｉｍＵＥ検出／消失の判定を行う（ＳＱ１００１）。ＶｉｃｔｉｍＵＥ検出部１４２は、例えば、所定時間毎に、ＶｉｃｔｉｍＵＥがフェムト基地局装置１００のフェムトセル内に存在するか否かを確認する。
【００５０】
ＶｉｃｔｉｍＵＥ検出とは、フェムト基地局装置１００がフェムト基地局装置１００のフェムトセル内に存在していなかったＶｉｃｔｉｍＵＥが存在していることを新たに認識することをいう。
【００５１】
ＶｉｃｔｉｍＵＥ消失とは、フェムト基地局装置１００がフェムト基地局装置１００のフェムトセル内に存在していたＶｉｃｔｉｍＵＥが存在していないことを新たに認識することをいう。
【００５２】
ＶｉｃｔｉｍＵＥ検出部１４２は、フェムト基地局装置１００のフェムトセル内のＶｉｃｔｉｍＵＥの有無（存否）に変化がない場合、ＳＱ１００２以降の処理を行わなくてもよい。
【００５３】
スケジューラ部１３５は、ＶｉｃｔｉｍＵＥ検出部１４２の判定結果に基づいて、送信電力パラメータを算出する（ＳＱ１００２）。スケジューラ部１３５の送信電力パラメータ算出部１４４は、判定結果と現在の送信電力パラメータとに基づいて、新たな送信電力パラメータを算出する。
【００５４】
下り送信チャネルは、共通パイロットチャネル及びデータチャネルを含む。送信電力パラメータによって、下り送信チャネルの共通パイロットチャネル電力、及び、下り送信チャネルのデータチャネル電力が設定される。下り送信チャネルの共通パイロットチャネル電力は、下り送信チャネルの共通パイロット信号に該当する参照信号（Reference Signal）の送信電力（RS Power）である。下り送信チャネルのデータチャネル電力は、RS Powerと当該送信電力（RS Power）に対する電力オフセット（p-a）との合計値である。下り送信チャネルのデータチャネルは、例えば、ＰＤＳＣＨ（Physical Downlink Shared Channel）である。送信電力パラメータは、ここでは、RS Power及びp-aとする。他のパラメータが、送信電力パラメータとして採用されてもよい。
【００５５】
現在（更新前）のRS Power及びp-aを、それぞれ、RSPower_now及びp-a_nowとする。このとき、現在の共通パイロットチャネル電力及び現在のデータチャネル電力は、それぞれ、RSPower_now及びRSPower_now ＋ p-a_nowである。
【００５６】
更新後のデータチャネル電力の目標電力をTargetとする。目標電力は、RS Power及びp-aで調整できる範囲内とする。ＶｉｃｔｉｍＵＥ検出時には、目標電力（Target）は、ＶｉｃｔｉｍＵＥが存在しないときと比較して、低く設定される。目標電力が低く設定されるのは、ＶｉｃｔｉｍＵＥに対する干渉を抑制するためである。また、ＶｉｃｔｉｍＵＥ検出時の目標電力は、検出されるＶｉｃｔｉｍＵＥの数に依存して設定されてもよい。例えば、検出されるＶｉｃｔｉｍＵＥの数が多いほど、目標電力が低くなるように設定されてもよい。
【００５７】
ＶｉｃｔｉｍＵＥ消失時には、目標電力（Target）は、ＶｉｃｔｉｍＵＥ消失前の目標電力と比較して、高く設定される。
【００５８】
ＶｉｃｔｉｍＵＥ検出時のデータチャネル電力の目標電力、及び、ＶｉｃｔｉｍＵＥ消失時のデータチャネル電力の目標電力は、予め設定されている。
【００５９】
ここで、p-aがとりうる最大値をp-a_max、p-aがとりうる最小値をp-a_minとする。即ち、p-aは、p-a_minからp-a_maxまでの値をとりうる。p-a_max及びp-a_minは、予め設定されている。
【００６０】
判定結果が「ＶｉｃｔｉｍＵＥ検出」である場合、送信電力パラメータ算出部１４４は、目標電力Targetを、「ＶｉｃｔｉｍＵＥ検出」の際の所定の目標電力に設定する。また、送信電力パラメータ算出部１４４は、第１の新電力オフセットp-a_new1に、Target − RSPower_nowとp-a_minとのうち、大きい方の値を設定する。さらに、送信電力パラメータ算出部１４４は、新共通パイロットチャネル電力RSPower_newに、Target − p-a_minを設定する。送信電力パラメータ算出部１４４は、第２の新電力オフセットp-a_new2に、p-a_minを設定する。
【００６１】
一方、判定結果が「ＶｉｃｔｉｍＵＥ消失」である場合、送信電力パラメータ算出部１４４は、目標電力Targetを、「ＶｉｃｔｉｍＵＥ消失」の際の所定の目標電力に設定する。「ＶｉｃｔｉｍＵＥ消失」の際の所定の目標電力は、「ＶｉｃｔｉｍＵＥ検出」の際の所定の目標電力よりも大きい。また、送信電力パラメータ算出部１４４は、第１の新電力オフセットp-a_new1に、Target − RSPower_nowとp-a_maxとのうち、小さい方の値を設定する。さらに、送信電力パラメータ算出部１４４は、新共通パイロットチャネル電力RSPower_newに、Target − p-a_maxを設定する。送信電力パラメータ算出部１４４は、第２の新電力オフセットp-a_new2に、p-a_maxを設定する。
【００６２】
送信電力パラメータ算出部１４４は、呼処理制御部１２０に対し、RS Power及びp-aのパラメータ更新要求をする（ＳＱ１００３）。また、送信電力パラメータ算出部１４４は、ＳＱ１００２で設定した、p-a_new1、RSPower_new、p-a_new2を呼処理制御部１２０に送信する。
【００６３】
呼処理制御部１２０の送信電力パラメータ更新判定部１２２は、送信電力パラメータ算出部１４４から更新要求等を受信すると、端末装置２００との間で、ＲＲＣメッセージによるＲＲＣパラメータの更新手続きを行う（ＳＱ１００４）。ＲＲＣパラメータの更新手続きにより、電力オフセットp-aが、p-a_new1に変更される。
【００６４】
呼処理制御部１２０は、端末装置２００との間で、ＲＲＣパラメータの更新手続きが完了すると、スケジューラ部１３５に、電力オフセットp-aの更新完了通知を発行する（ＳＱ１００５）。スケジューラ部１３５の送信電力パラメータ算出部１４４は、更新後の電力オフセットを、p-a_nowとして設定する。
【００６５】
電力オフセットp-aの更新完了の後、フェムト基地局装置１００と端末装置２００との間で、更新した送信電力パラメータで、無線データ通信が開始される（ＳＱ１００６）。このとき、共通パイロットチャネル電力は、RSPower_nowであり、ユーザチャネル電力は、RSPower_now ＋ p-a_new1である。
【００６６】
呼処理制御部１２０の送信電力パラメータ更新判定部１２２は、現時刻がRS Powerの更新のタイミングであるか否かを判定する（ＳＱ１００７）。ＬＴＥシステムにおいて、RS Powerは、システム情報に該当する。従って、RS Powerの更新のタイミングは、システム情報の更新のタイミングと同じである。システム情報は、例えば、所定時間毎に更新される。このとき、システム情報の更新のタイミングは、所定時間毎に設定される。現時刻がRS Powerの更新のタイミングでない場合（ＳＱ１００７；ＮＯ）、送信電力パラメータ更新判定部１２２は、RS Powerの更新のタイミングまで、待機する。システム情報の更新の周期は、例えば、100msである。
【００６７】
現時刻がRS Powerの更新のタイミングである場合（ＳＱ１００７；ＹＥＳ）、送信電力パラメータ更新判定部１２２は、端末装置２００との間で、システム情報の更新手続きを行う（ＳＱ１００８）。システム情報には、ＳＱ１００３で受信したRSPower_newを新たな共通パイロットチャネル電力RS Powerとすることが含まれる。
【００６８】
呼処理制御部１２０は、端末装置２００との間で、システム情報の更新手続きが完了すると、端末装置２００に、システム情報更新の通知を行う（ＳＱ１００９）。
【００６９】
さらに、呼処理制御部１２０の送信電力パラメータ更新判定部１２２は、端末装置２００との間で、ＲＲＣメッセージによるＲＲＣパラメータの更新手続きを行う（ＳＱ１０１０）。ＲＲＣパラメータの更新手続きにより、電力オフセットp-aが、p-a_new2に変更される。
【００７０】
ＳＱ１０１０の処理は、ＳＱ１００７とＳＱ１００８との間、又は、ＳＱ１００８とＳＱ１００９との間に行われてもよい。
【００７１】
呼処理制御部１２０は、端末装置２００との間で、システム情報の更新手続き、及び、ＲＲＣパラメータの更新手続きが完了すると、スケジューラ部１３５に、共通パイロットチャネル電力RS Power及び電力オフセットp-aの更新完了通知を発行する（ＳＱ１０１１）。スケジューラ部１３５の送信電力パラメータ算出部１４４は、更新後の共通パイロットチャネル電力をRSPower_nowとして、更新後の電力オフセットをp-a_nowとして設定する。
【００７２】
共通パイロットチャネル電力及び電力オフセットp-aの更新完了の後、フェムト基地局装置１００と端末装置２００との間で、更新した送信電力パラメータで、無線データ通信が開始される（ＳＱ１０１２）。このとき、共通パイロットチャネル電力は、RSPower_newであり、ユーザチャネル電力は、RSPower_new ＋ p-a_new2である。
【００７３】
この後、フェムト基地局装置１００と端末装置２００との間で、ＳＱ１００１以降の処理が繰り返される。ＳＱ１００１以降の処理が、所定時間毎に実行されるようにしてもよい。
【００７４】
このようにして、フェムト基地局装置１００は、電力オフセットの調整幅を最大化するようにp-a及びRS Powerを制御することにより、ＶｉｃｔｉｍＵＥ検出／消失に伴って変更される目標電力に、迅速に、データチャネル電力を追随させることができる。
【００７５】
ＳＱ１００２で算出したRSPower_newがRSPower_nowと等しい場合、ＳＱ１００７からＳＱ１０１２までの処理を行わなくてもよい。この場合、RS Powerが変更されないからである。
【００７６】
ＳＱ１００３で呼処理制御部１２０がRS Power及びp-aの変更要求を受信した時がRS Powerの更新のタイミングである場合、ＳＱ１００４からＳＱ１００７の処理を行わなくてもよい。
【００７７】
送信電力パラメータ算出部１４４は、先に、p-a_new1を算出し、RS Powerの更新のタイミングのときに、RSPower_new及びp-a_new2を算出してもよい。
【００７８】
（具体例）
図７は、データチャネル電力の時間変化の具体例を示す図である。図７のグラフの横軸は時間であり、縦軸はデータチャネル電力である。データチャネル電力は、RS Powerとp-aとの和で定義される。共通パイロットチャネル電力は、RS Powerである。ここでは、フェムト基地局装置１００のp-a_maxは+3dBであり、p-a_minは-6dBであるとする。また、ＶｉｃｔｉｍＵＥ検出時のデータチャネル電力の目標電力は9dBm、Victim消失時のデータチャネル電力の目標電力は21dBmであるとする。さらに、時刻０の時点で、フェムト基地局装置１００のフェムトセル内にＶｉｃｔｉｍＵＥは存在していないとする。
【００７９】
時刻０において、フェムト基地局装置１００では、RS Powerが12dBm、p-aが+3dBに設定されているとする。このとき、データチャネル電力は、12dBm+3dB=15dBmである。
【００８０】
時刻Ｔａにおいて、フェムト基地局装置１００のＶｉｃｔｉｍＵＥ検出部１４２がＶｉｃｔｉｍＵＥを検出する。フェムト基地局装置１００の送信電力パラメータ算出部１４４は、ＶｉｃｔｉｍＵＥが検出されたので、目標電力（Target）を9dBmとする。送信電力パラメータ算出部１４４は、9dBm - 12dBm = -3dBと-6dBとのうち、より大きい方の値である-3dBをp-a_new1の値とする。送信電力パラメータ算出部１４４は、9dBm - (-6dB) = 15dBmをRSPower_newの値とする。送信電力パラメータ算出部１４４は、-6dBをp-a_new2の値とする。送信電力パラメータ算出部１４４は、求めた各パラメータを呼処理制御部１２０に送信する。
【００８１】
呼処理制御部１２０の送信電力パラメータ更新判定部１２２は、端末装置２００との間でＲＲＣメッセージによるＲＲＣパラメータの更新手続きを行い、電力オフセットp-aを-3dB（p-a_new1）に変更する。これにより、時刻Ｔａで、下り送信チャネルのデータチャネル電力は、12dBm + (-3dB) = 9dBmとなる。
【００８２】
送信電力パラメータ更新判定部１２２は、現時刻がRS Powerの更新のタイミングであるか否かを判定する。時刻ＴｂがRS Powerの更新のタイミングであるとき、送信電力パラメータ更新判定部１２２は、端末装置２００との間で、システム情報の更新手続きを行い、RS Powerを15dBm（RSPower_new）に変更する。また、端末装置２００との間でＲＲＣメッセージによるＲＲＣパラメータの更新手続きを行い、電力オフセットp-aを-6dB（p-a_new2）に変更する。これにより、時刻Ｔｂで、下り送信チャネルのデータチャネル電力は、15dBm + (-6dB) = 9dBmになる。即ち、時刻Ｔｂでは、データチャネル電力は9dBmのまま変更されないが、RS Power及びp-aが変更される。この時点で、PSPower_nowは15dBmであり、p-a_nowは-6dBである。
【００８３】
RS Power及びp-aが、それぞれ、15dBm及び-6dB(=p-a_min)となることで、フェムト基地局装置１００は、電力オフセットp-aの変更により、データチャネル電力に対してp-aの最大調整幅である+9dB（= (+3dB) - (-6dB)）を実施可能となる。
【００８４】
時刻Ｔｃにおいて、フェムト基地局装置１００のＶｉｃｔｉｍＵＥ検出部１４２がＶｉｃｔｉｍＵＥ消失を検出する。フェムト基地局装置１００の送信電力パラメータ算出部１４４は、ＶｉｃｔｉｍＵＥが消失したので、目標電力（Target）を21dBmとする。送信電力パラメータ算出部１４４は、21dBm - 15dBm = +6dBと+3dBとのうち、より小さい方の値である+3dBをp-a_new1の値とする。送信電力パラメータ算出部１４４は、21dBm - (+3dB) = 18dBmをRSPower_newの値とする。送信電力パラメータ算出部１４４は、+3dBをp-a_new2の値とする。送信電力パラメータ算出部１４４は、求めた各パラメータを呼処理制御部１２０に送信する。
【００８５】
呼処理制御部１２０の送信電力パラメータ更新判定部１２２は、端末装置２００との間でＲＲＣメッセージによるＲＲＣパラメータの更新手続きを行い、電力オフセットp-aを+3dB（p-a_new1）に変更する。これにより、時刻Ｔｃで、下り送信チャネルのデータチャネル電力は、15dBm + (+3dB) = 18dBmとなる。フェムト基地局装置１００がＶｉｃｔｉｍＵＥ消失を検出した後、RS Powerを変更する前に、データチャネル電力を9dBmから18dBmまで上げることができる。
【００８６】
送信電力パラメータ更新判定部１２２は、現時刻がRS Powerの更新のタイミングであるか否かを判定する。時刻ＴｄがRS Powerの更新のタイミングであるとき、送信電力パラメータ更新判定部１２２は、端末装置２００との間で、システム情報の更新手続きを行い、RS Powerを18dBm（RSPower_new）に変更する。また、端末装置２００との間でＲＲＣメッセージによるＲＲＣパラメータの更新手続きを行い、電力オフセットp-aを+3dB（p-a_new2）に変更する。これにより、時刻Ｔｄで、下り送信チャネルのデータチャネル電力は、18dBm + (+3dB) = 21dBmになる。即ち、時刻Ｔｄでは、データチャネル電力は18dBmから21dBmに変更される。この時点で、PSPower_nowは18dBmであり、p-a_nowは+3dBである。
【００８７】
RS Power及びp-aが、それぞれ、18dBm及び+3dBm(=p-a_max)となることで、フェムト基地局装置１００は、電力オフセットp-aの変更により、データチャネル電力に対してp-aの最大調整幅である-9dB（= (-6dB) - (+3dB)）を実施可能となる。
【００８８】
このようにして、フェムト基地局装置１００は、ＶｉｃｔｉｍＵＥ検出／消失に伴うデータチャネル電力の目標電力の変更に対して、データチャネル電力を目標電力に追従させることができる。
【００８９】
（実施形態の作用、効果）
フェムト基地局装置１００は、下り送信チャネルのデータチャネル電力を変更する際、電力オフセットp-aによる変更を行った後、RS Power及びp-aによる変更を行う。RS Power及びp-aによる変更は、データチャネル電力を低く変更する場合には、p-aが最小になるようにし、データチャネル電力を高く変更する場合には、p-aが最大になるようにする。フェムト基地局装置１００は、p-aを最大又は最小にすることで、送信電力（下り送信チャネルのデータチャネル電力）を迅速に変更することができる。フェムト基地局装置１００は、ＶｉｃｔｉｍＵＥ検出時に迅速に送信電力を下げることで、ＶｉｃｔｉｍＵＥに対する干渉を抑制することができる。また、フェムト基地局装置１００は、ＶｉｃｔｉｍＵＥ消失時には迅速に送信電力を上げることで、フェムト基地局装置１００と接続する端末装置との通信の品質を向上させることができる。
【００９０】
〈変形例〉
上記では、PS Powerと共に変更するp-aの値（p-a_new2）を、p-aの最大値（p-a_max）またはp-aの最小値（p-a_min）とした。変形例では、PS Powerと共に変更するp-aの値（p-a_new2）を、所定の条件に基づいて、p-a_max及びp-a_min以外の値もとるようにする。
【００９１】
（動作例）
変形例のフェムト基地局装置及び端末装置の動作は、上記の動作例と、主として、フェムト基地局装置１００のスケジューラ部１３５のＶｉｃｔｉｍＵＥ検出部１４２及び送信電力パラメータ算出部１４４の動作（ＳＱ１００１及びＳＱ１００２）が異なる。ここでは、主として、変形例におけるフェムト基地局装置１００のＶｉｃｔｉｍＵＥ検出部１４２及び送信電力パラメータ算出部１４４の動作について、説明する。上記の例と共通する部分については、説明を省略する。
【００９２】
フェムト基地局装置１００のスケジューラ部１３５のＶｉｃｔｉｍＵＥ検出部１４２は、ＶｉｃｔｉｍＵＥ検出／消失の判定を行う。ＶｉｃｔｉｍＵＥ検出部１４２は、例えば、所定時間毎に、ＶｉｃｔｉｍＵＥがフェムト基地局装置１００のフェムトセル内に存在するか否かを確認する。ＶｉｃｔｉｍＵＥ検出部１４２は、例えば、上り干渉電力が所定値以上か所定値未満かによって、ＶｉｃｔｉｍＵＥ検出／消失を判定する。
【００９３】
また、ＶｉｃｔｉｍＵＥ検出部１４２は、フェムトセル内及びフェムトセル周辺のＶｉｃｔｉｍＵＥ及び与干渉ＵＥからの上り干渉電力を計測する。フェムトセル内及びフェムトセル周辺のＶｉｃｔｉｍＵＥ及び与干渉ＵＥからの上り干渉電力は、フェムトセル内及びフェムトセル周辺のＶｉｃｔｉｍＵＥ及び与干渉ＵＥの数に依存する。即ち、ＶｉｃｔｉｍＵＥ及び与干渉ＵＥからの上り干渉電力が大きいほど、フェムトセル内及びフェムトセル周辺のＶｉｃｔｉｍＵＥ及び与干渉ＵＥの数が多い傾向がある。フェムトセル内及びフェムトセル周辺のＶｉｃｔｉｍＵＥ及び与干渉ＵＥには、ＭＵＥや他のフェムト基地局装置に接続するＵＥが含まれる。与干渉ＵＥは、フェムト基地局装置１００において、ＶｉｃｔｉｍＵＥとして検出されない程度に上り干渉電力が低いＭＵＥや他フェムトセル接続ＵＥである。与干渉ＵＥがフェムト基地局装置１００のフェムトセルに接近すると、フェムト基地局装置１００は当該与干渉ＵＥをＶｉｃｔｉｍＵＥとして検出し得る。
【００９４】
スケジューラ部１３５は、ＶｉｃｔｉｍＵＥ検出部１４２の判定結果および計測結果に基づいて、送信電力パラメータを算出する。スケジューラ部１３５の送信電力パラメータ算出部１４４は、判定結果と計測結果と現在の送信電力パラメータとに基づいて、新たな送信電力パラメータを算出する。
【００９５】
下り送信チャネルは、共通パイロットチャネル及びデータチャネルを含む。送信電力パラメータによって、下り送信チャネルの共通パイロットチャネル電力、及び、下り送信チャネルのデータチャネル電力が設定される。下り送信チャネルの共通パイロットチャネル電力は、下り送信チャネルの共通パイロット信号に該当する参照信号（Reference Signal）の送信電力（RS Power）である。下り送信チャネルのデータチャネル電力は、RS Powerと当該送信電力（RS Power）に対する電力オフセット（p-a）との合計値である。下り送信チャネルのデータチャネルは、例えば、ＰＤＳＣＨ（Physical Downlink Shared Channel）である。送信電力パラメータは、ここでは、RS Power及びp-aとする。他のパラメータが、送信電力パラメータとして採用されてもよい。
【００９６】
現在（更新前）のRS Power及びp-aを、それぞれ、RSPower_now及びp-a_nowとする。このとき、現在の共通パイロットチャネル電力は、RSPower_nowである。また、現在のデータチャネル電力は、RSPower_now ＋ p-a_nowである。
【００９７】
更新後のデータチャネル電力の目標電力をTargetとする。目標電力は、RS Power及びp-aで調整できる範囲内とする。ＶｉｃｔｉｍＵＥ検出時には、目標電力（Target）は、ＶｉｃｔｉｍＵＥが存在しないときと比較して、低く設定される。目標電力が低く設定されるのは、ＶｉｃｔｉｍＵＥに対する干渉を抑制するためである。また、ＶｉｃｔｉｍＵＥ検出時の目標電力は、検出されるＶｉｃｔｉｍＵＥの数に依存して設定されてもよい。例えば、検出されるＶｉｃｔｉｍＵＥの数が多いほど、目標電力が低くなるように設定されてもよい。
【００９８】
ＶｉｃｔｉｍＵＥ消失時には、目標電力(Target)は、ＶｉｃｔｉｍＵＥ消失前と比較して、高く設定される。
【００９９】
ＶｉｃｔｉｍＵＥ検出時のデータチャネル電力の目標電力、及び、ＶｉｃｔｉｍＵＥ消失時のデータチャネル電力の目標電力は、予め設定されている。
【０１００】
ここで、p-aがとりうる最大値をp-a_max、p-aがとりうる最小値をp-a_minとする。即ち、p-aは、p-a_minからp-a_maxまでの値をとりうる。p-a_max及びp-a_minは、予め設定されている。
【０１０１】
判定結果が「ＶｉｃｔｉｍＵＥ検出」である場合、送信電力パラメータ算出部１４４は、目標電力Targetを、「ＶｉｃｔｉｍＵＥ検出」の際の所定の目標電力に設定する。また、送信電力パラメータ算出部１４４は、第１の新電力オフセットp-a_new1に、Target - RSPower_nowとp-a_minとのうち、大きい方の値を設定する。
【０１０２】
さらに、送信電力パラメータ算出部１４４は、新共通パイロットチャネル電力RSPower_newに、Target - (p-a_max - Δoffset1)を設定する。送信電力パラメータ算出部１４４は、第２の新電力オフセットp-a_new2に、p-a_max - Δoffset1を設定する。Δoffset1は、第１オフセット値の一例である。
【０１０３】
図８は、Δoffset1の決め方の例を示す表である。Δoffset1は、上り干渉電力の測定結果に基づいて、例えば、次のように決められる。送信電力パラメータ算出部１４４は、所定時間前から現時刻までの干渉電力の時間変化を一次関数で近似したときの傾きに基づいて、ＶｉｃｔｉｍＵＥの数が増加、ＶｉｃｔｉｍＵＥの数が減少、又は、ＶｉｃｔｉｍＵＥの数の変動が小さいかを判断する。
【０１０４】
所定時間前から現時刻までの干渉電力の時間変化を一次関数で近似したときの傾きが正の所定値以上である場合、送信電力パラメータ算出部１４４はフェムトセル内のＶｉｃｔｉｍＵＥの数が増加していると判断する。このとき、ＶｉｃｔｉｍＵＥがさらに増加すると予想されるため、さらにデータチャネル電力を迅速に大きく下げられるように、Δoffset1=+3dBとする。このとき、データチャネル電力は、p-aによって、RS Powerに対して、+3dBから-6dBまで迅速に調整され得る。
【０１０５】
所定時間前から現時刻までの干渉電力の時間変化を一次関数で近似したときの傾きが負の所定値以上かつ正の所定値未満である場合、送信電力パラメータ算出部１４４はフェムトセル内のＶｉｃｔｉｍＵＥの数の変動が小さいと判断する。即ち、送信電力パラメータ算出部１４４はフェムトセル内のＶｉｃｔｉｍＵＥの数が変化していないと判断する。このとき、データチャネル電力を迅速に上げることも下げることもできるように、Δoffset1=+6dBとする。このとき、データチャネル電力は、p-aによって、RS Powerに対して、+6dBから-3dBまで迅速に調整され得る。
【０１０６】
所定時間前から現時刻までの干渉電力の時間変化を一次関数で近似したときの傾きが負の所定値未満である場合、送信電力パラメータ算出部１４４はフェムトセル内のＶｉｃｔｉｍＵＥの数が減少していると判断する。このとき、ＶｉｃｔｉｍＵＥがさらに減少すると予想されるため、データチャネル電力を迅速に大きく上げられるように、Δoffset1=+9dBとする。このとき、データチャネル電力は、p-aによって、RS Powerに対して、+9dBから0dBまで迅速に調整され得る。
【０１０７】
ＶｉｃｔｉｍＵＥがフェムト基地局装置１００に接続要求を送信してきた場合、フェムト基地局装置１００は、当該ＶｉｃｔｉｍＵＥに対し接続拒否を返信する。所定期間毎に送信する接続拒否の数を計数することで、フェムト基地局装置１００はフェムト基地局装置１００のフェムトセル内のＶｉｃｔｉｍＵＥの数を認識できる。そこで、測定結果として、上り干渉電力の代わりに、接続拒否の数が使用されてもよい。
【０１０８】
一方、判定結果が「ＶｉｃｔｉｍＵＥ消失」である場合、送信電力パラメータ算出部１４４は、目標電力Targetを、「ＶｉｃｔｉｍＵＥ消失」の際の所定の目標電力に設定する。「ＶｉｃｔｉｍＵＥ消失」の際の所定の目標電力は、「ＶｉｃｔｉｍＵＥ検出」の際の所定の目標電力よりも大きい。また、送信電力パラメータ算出部１４４は、第１の新電力オフセットp-a_new1に、Target − RSPower_nowとp-a_maxとのうち、小さい方の値を設定する。
【０１０９】
さらに、送信電力パラメータ算出部１４４は、新共通パイロットチャネル電力RSPower_newに、Target − (p-a_min ＋ Δoffset2)を設定する。送信電力パラメータ算出部１４４は、第２の新電力オフセットp-a_new2に、p-a_min ＋ Δoffset2を設定する。Δoffset2は、第２オフセット値の一例である。
【０１１０】
図９は、Δoffset2の決め方の例を示す表である。Δoffset2は、上り干渉電力の測定結果に基づいて、例えば、次のように決められる。
【０１１１】
所定時間前から現時刻までの干渉電力の時間変化を一次関数で近似したときの傾きが負の所定値未満である場合、送信電力パラメータ算出部１４４はフェムトセル内及びフェムトセル周辺の与干渉ＵＥの数が減少していると判断する。このとき、与干渉ＵＥの数がさらに減少すると予想されるため、さらにデータチャネル電力を迅速に大きく上げられるように、Δoffset2=+3dBとする。このとき、データチャネル電力は、p-aによって、RS Powerに対して、+6dBから-3dBまで迅速に調整され得る。
【０１１２】
所定時間前から現時刻までの干渉電力の時間変化を一次関数で近似したときの傾きが負の所定値以上かつ正の所定値未満である場合、送信電力パラメータ算出部１４４はフェムトセル内の与干渉ＵＥの数の変動が小さいと判断する。即ち、送信電力パラメータ算出部１４４はフェムトセル内の与干渉ＵＥの数が変化していないと判断する。このとき、データチャネル電力を迅速に上げることも下げることもできるように、Δoffset2=+6dBとする。このとき、データチャネル電力は、p-aによって、RS Powerに対して、+3dBから-6dBまで迅速に調整され得る。
【０１１３】
所定時間前から現時刻までの干渉電力の時間変化を一次関数で近似したときの傾きが正の所定値以上である場合、送信電力パラメータ算出部１４４はフェムトセル内の与干渉ＵＥの数が増加していると判断する。このとき、ＶｉｃｔｉｍＵＥがさらに増加すると予想されるため、データチャネル電力を迅速に大きく下げられるように、Δoffset2=+9dBとする。このとき、データチャネル電力は、p-aによって、RS Powerに対して、+6dBから-9dBまで迅速に調整され得る。
【０１１４】
Δoffset1及びΔoffset2は、例えば、メモリ１６４や記憶装置に記憶される。
【０１１５】
（変形例の作用、効果）
フェムト基地局装置１００は、下り送信チャネルのデータチャネル電力を変更する際、電力オフセットp-aによる変更を行った後、RS Power及びp-aによる変更を行う。また、フェムト基地局装置１００は、干渉電力の時間変化により、ＶｉｃｔｉｍＵＥや与干渉ＵＥの増減を判断する。フェムト基地局装置１００は、ＶｉｃｔｉｍＵＥ等の増減により、データチャネル電力を迅速に大きく上げること又は大きく下げることをできるようにする。
【０１１６】
フェムト基地局装置１００は、ＶｉｃｔｉｍＵＥ等が増加する時に迅速に送信電力を下げられるようにすることで、ＶｉｃｔｉｍＵＥ等に対する干渉電力を抑制することができる。また、フェムト基地局装置１００は、ＶｉｃｔｉｍＵＥ等が減少する時には迅速に送信電力を上げられるようにすることで、フェムト基地局装置１００と接続する端末装置との通信の品質を向上させることができる。
【符号の説明】
【０１１７】
１００        フェムト基地局装置
１０２          アンテナ
１１０          無線送受信部
１２０          呼処理制御部
１２２            送信電力パラメータ更新判定部
１３０          ベースバンド信号処理部
１３５            スケジューラ部
１４２              ＶｉｃｔｉｍＵＥ検出部
１４４              送信電力パラメータ算出部
１５２          アンテナ
１５４          ＲＦ部
１５６          ベースバンド信号処理部
１５８          外部信号I／Ｆ
１６２          ＣＰＵ
１６４          メモリ
２００        端末装置（ＨＵＥ）
２１０          無線送受信部
２２０          呼処理制御部
２３０          ベースバンド信号処理部
２４０          アプリケーション処理部
【図１】
2014041667.tif 000003
【図２】
2014041667.tif 000004
【図３】
2014041667.tif 000005
【図４】
2014041667.tif 000006
【図５】
2014041667.tif 000007
【図６】
2014041667.tif 000008
【図７】
2014041667.tif 000009
【図８】
2014041667.tif 000010
【図９】
2014041667.tif 000011
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
端末装置と無線接続する無線基地局装置であって、
前記端末装置以外の他の端末装置から送信される信号の強度を検出する検出部と、
所定時間毎に調整される第１パラメータと、所定の第１最小値及び所定の第１最大値の間の値をとる第２パラメータとの和を前記端末装置に対する送信電力として算出する電力算出部と、を備え、
前記検出部が前記他の端末装置から送信される信号の受信電力が所定値以上であることを検出した場合、前記電力算出部は、第１目標電力と前記第１パラメータとの差と前記第１最小値とのうち大きい方の値を前記第２パラメータとして設定し、さらに、前記第１パラメータが調整されるときに、前記第１目標電力と前記第１最小値との差を前記第１パラメータとして設定し、前記第１最小値を前記第２パラメータとして設定する、
無線基地局装置。
【請求項２】
前記検出部が前記他の端末装置から送信される信号の受信電力が所定値以上であることを検出した場合、前記電力算出部は、前記検出部が前記他の端末装置から送信される信号の受信電力の時間変化に基づいて第１オフセット値を設定し、前記第１パラメータが調整されるときに、前記第１目標電力と前記第１最小値との差に前記第１オフセット値を加算した値を前記第１パラメータとして設定し、前記第１最小値と前記第１オフセット値との差を前記第２パラメータとして設定する、
請求項１に記載の無線基地局装置。
【請求項３】
前記検出部が前記他の端末装置から送信される信号の受信電力が所定値未満であることを検出した場合、前記電力算出部は、第２目標電力と前記第１パラメータとの差と前記第１最大値とのうち小さい方の値を前記第２パラメータとして設定し、さらに、前記第１パラメータが調整されるときに、前記第２目標電力と前記第１最大値との差を前記第１パラメータとして設定し、前記第１最大値を前記第２パラメータとして設定する、
請求項１又は２に記載の無線基地局装置。
【請求項４】
前記検出部が前記他の端末装置から送信される信号の受信電力が所定値未満であることを検出した場合、前記電力算出部は、前記検出部が前記他の端末装置から送信される信号の受信電力の時間変化に基づいて第２オフセット値を設定し、前記第１パラメータが調整
されるときに、前記第２目標電力と前記第１最大値との差に前記第２オフセット値を減算した値を前記第１パラメータとして設定し、前記第１最小値と前記第２オフセット値との和を前記第２パラメータとして設定する、
請求項３に記載の無線基地局装置。
【請求項５】
端末装置と無線接続する無線基地局装置の通信方法であって、
前記端末装置以外の他の端末装置から送信される信号の強度を検出し、
前記他の端末装置から送信される信号の受信電力が所定値以上であることを検出した場合、第１目標電力と所定時間毎に調整される第１パラメータとの差と所定の第１最小値とのうち大きい方の値を、前記第１最小値及び所定の第１最大値の間の値をとる第２パラメータとして設定し、さらに、前記第１パラメータが調整されるときに、前記第１目標電力と前記第１最小値との差を前記第１パラメータとして設定し、前記第１最小値を前記第２パラメータとして設定し、
前記第１パラメータと、前記第２パラメータとの和を前記端末装置に対する送信電力として算出する、
通信方法。
【手続補正２】
【補正対象書類名】明細書
【補正対象項目名】００１１
【補正方法】変更
【補正の内容】
【００１１】
したがって、ＰＤＳＣＨ送信電力について、図１のようなデータチャネル電力の高送信電力設定と低送信電力設定とを切り替える場合において、RS Powerの調整では、送信電力の変更に追従した送信電力の変更が困難である。一方、電力オフセットの調整では、RS Powerの調整よりも素早い変更は可能であるが、調整範囲が狭い。このため、送信電力の変更時にRS Powerの調整待ちとなった場合、ＰＤＳＣＨ送信電力が低いために通信品質が低下する期間やＰＤＳＣＨ送信電力が高いために他セルに対して干渉を与える期間が発生することがある。
【手続補正３】
【補正対象書類名】明細書
【補正対象項目名】００１９
【補正方法】変更
【補正の内容】
【００１９】
即ち、第１の態様は、
端末装置と無線接続する無線基地局装置であって、
前記端末装置以外の他の端末装置から送信される信号の強度を検出する検出部と、
所定時間毎に調整される第１パラメータと、所定の第１最小値及び所定の第１最大値の間の値をとる第２パラメータとの和を前記端末装置に対する送信電力として算出する電力算出部と、を備え、
前記検出部が前記他の端末装置から送信される信号の受信電力が所定値以上であることを検出した場合、前記電力算出部は、第１目標電力と前記第１パラメータとの差と前記第１最小値とのうち大きい方の値を前記第２パラメータとして設定し、さらに、前記第１パラメータが調整されるときに、前記第１目標電力と前記第１最小値との差を前記第１パラメータとして設定し、前記第１最小値を前記第２パラメータとして設定する、
無線基地局装置とする。
【手続補正４】
【補正対象書類名】明細書
【補正対象項目名】００８２
【補正方法】変更
【補正の内容】
【００８２】
送信電力パラメータ更新判定部１２２は、現時刻がRS Powerの更新のタイミングであるか否かを判定する。時刻ＴｂがRS Powerの更新のタイミングであるとき、送信電力パラメータ更新判定部１２２は、端末装置２００との間で、システム情報の更新手続きを行い、RS Powerを15dBm（RSPower_new）に変更する。また、端末装置２００との間でＲＲＣメッセージによるＲＲＣパラメータの更新手続きを行い、電力オフセットp-aを-6dB（p-a_new2）に変更する。これにより、時刻Ｔｂで、下り送信チャネルのデータチャネル電力は、15dBm + (-6dB) = 9dBmになる。即ち、時刻Ｔｂでは、データチャネル電力は9dBmのまま変更されないが、RS Power及びp-aが変更される。この時点で、RSPower_nowは15dBmであり
、p-a_nowは-6dBである。
【手続補正５】
【補正対象書類名】明細書
【補正対象項目名】００９０
【補正方法】変更
【補正の内容】
【００９０】
〈変形例〉
上記では、RS Powerと共に変更するp-aの値（p-a_new2）を、p-aの最大値（p-a_max）
またはp-aの最小値（p-a_min）とした。変形例では、RS Powerと共に変更するp-aの値（p-a_new2）を、所定の条件に基づいて、p-a_max及びp-a_min以外の値もとるようにする。
【国際調査報告】
2014041667.tif 000012
2014041667.tif 000013